(57)【要約】【課題】無駄な部分を少なくして配設できるエレベーター用建物ユニットと、このエレベーター用建物ユニットを備えた建物を得る。【解決手段】建物３０を構成する建物ユニット３２のモジュールに沿った寸法とされ、複数階に対応したユニット本体１４に、エレベーター構成部材であるエレベーターかご用昇降路１６、エレベーターかご１８及び駆動装置２０が工場であらかじめ組み込まれている。施工現場でエレベーター構成部材を包囲するように新たな建物ユニットを設置して建物ユニット３２と接合する必要がないので、二重構造となる部分が存在せず、無駄が少なくなる。【選択図】図２
2007290810.tif 000002
【特許請求の範囲】
【請求項１】
建物の複数階分に対応してこの建物の少なくとも一部を構成するユニット本体と、
前記ユニット本体に備えられたエレベーターかご用昇降路と、
前記エレベーターかご用昇降路内に配置されたエレベーターかごと、
前記エレベーターかごを駆動する駆動装置と、
を有することを特徴とするエレベーター用建物ユニット。
【請求項２】
前記エレベーターかご用昇降路がエレベーターかごの昇降方向に見て前記ユニット本体の隅部に配置されていることを特徴とする請求項１に記載のエレベーター用建物ユニット。
【請求項３】
前記ユニット本体の前記エレベーターかごの昇降方向における中間部分に、上階用エレベーターホールが設けられていることを特徴とする請求項１又は請求項２に記載のエレベーター用建物ユニット。
【請求項４】
前記ユニット本体の前記エレベーターかごの昇降方向における下底部分に、下階用エレベーターホールが設けられていることを特徴とする請求項２又は請求項３に記載のエレベーター用建物ユニット。
【請求項５】
前記エレベーターかご用昇降路の前記エレベーターかごの昇降方向における中間部分に、エレベーターかごへの出入りを可能とする出入扉が設けられていることを特徴とする請求項１〜請求項４のいずれか１項に記載のエレベーター用建物ユニット。
【請求項６】
前記駆動装置が、前記ユニット本体の上部に配置されていることを特徴とする請求項１〜請求項５のいずれか１項に記載のエレベーター用建物ユニット。
【請求項７】
前記ユニット本体に、前記建物の床と接続されてこの床の一部を構成する床構成部が設けられていることを特徴とする請求項１〜請求項６のいずれか１項に記載のエレベーター用建物ユニット。
【請求項８】
前記エレベーターかご用昇降路、前記エレベーターかご及び前記駆動装置が前記ユニット本体にあらかじめ工場で組み付けられていることを特徴とする請求項１〜請求項７のいずれか１項に記載のエレベーター用建物ユニット。
【請求項９】
前記エレベーターかごが前記昇降路内で円滑に昇降できるようにあらかじめ工場で調整されていることを特徴とする請求項８に記載のエレベーター用建物ユニット。
【請求項１０】
前記ユニット本体が、
前記エレベーターかごの昇降方向と同方向に延在されると共に、前記建物を構成し前記ユニット本体に隣接される隣接建物ユニットの柱又は梁の少なくとも１つに固定される長尺柱、
を有することを特徴とする請求項１〜請求項９のいずれか１項に記載のエレベーター用建物ユニット。
【請求項１１】
前記長尺柱の最下部が下階の前記隣接建物ユニットの床梁に固定され、この長尺柱の中間部が上階の前記隣接建物ユニットの床梁又は下階の前記隣接建物ユニットの天井梁に固定されている、
ことを特徴とする請求項１０に記載にエレベーター用建物ユニット。
【請求項１２】
請求項１〜請求項１１のいずれか１項に記載のエレベーター用建物ユニット、を有することを特徴とする建物。
【発明の詳細な説明】
【技術分野】
【０００１】
本発明は、エレベーター用建物ユニットと、このエレベーター用建物ユニットを備えた建物に関する。
【背景技術】
【０００２】
従来から、複数階のユニット建物にエレベーターを設置する方法や構造の提案がなされている。たとえば特許文献１には、エレベーターユニット構造体を建築現場の基礎上に設置し、次いで他のユニット構成体を建築現場の基礎上に設置するユニット建物の施工方法や、建築現場においてエレベーターユニット構造体の設置を完了しておき、その後、このエレベーターユニット構造体に隣接する他のユニット構造体の設置前に、他のユニット構造体を設置するユニット建物の施工方法が記載されている。
【０００３】
しかし、この構成では、エレベーターユニット構造体が他のユニット構造体とは別体とされており、施工された建物ではこれらが二重構造となってしまうため、無駄な部分が多く生じる。
【特許文献１】特許３２３６０６３号公報
【発明の開示】
【発明が解決しようとする課題】
【０００４】
本発明は上記事実を考慮し、無駄な部分を少なくして配設できるエレベーター用建物ユニットと、このエレベーター用建物ユニットを備えた建物を得ることを課題とする。
【課題を解決するための手段】
【０００５】
請求項１に記載の発明では、建物の複数階分に対応してこの建物の少なくとも一部を構成するユニット本体と、前記ユニット本体に備えられたエレベーターかご用昇降路と、前記エレベーターかご用昇降路内に配置されたエレベーターかごと、前記エレベーターかごを駆動する駆動装置と、を有することを特徴とする。
【０００６】
このように、エレベーターかご用昇降路、エレベーターかご及び駆動装置（以下、これらを総称して「エレベーター構成部材」という）が設けられたユニット本体が建物を構成するので、エレベーター構成部材と建物との間に二重構造の部分が存在しなくなり、無駄が少なくなる。
【０００７】
請求項２に記載の発明では、請求項１に記載の発明において、前記エレベーターかご用昇降路がエレベーターかごの昇降方向に見て前記ユニット本体の隅部に配置されていることを特徴とする。
【０００８】
すなわち、エレベーターかご用昇降路おユニット本体内での位置は限定されないが、請求項２に記載のように、ユニット本体の隅部に配置されている構成では、ユニット本体内において、エレベーターかご用昇降路が配置されていない部分で広いスペースを確保でき、このスペースの有効利用が可能となる。
【０００９】
たとえば、請求項３に記載のように、前記ユニット本体の前記エレベーターかごの昇降方向における中間部分に、上階用エレベーターホールが設けられている構成としたり、請求項４に記載のように、前記ユニット本体の前記エレベーターかごの昇降方向における下底部分に、下階用エレベーターホールが設けられている構成としたりすることが可能である。
【００１０】
請求項５に記載の発明では、請求項１〜請求項４のいずれか１項に記載の発明において、前記エレベーターかご用昇降路の前記エレベーターかごの昇降方向における中間部分に、エレベーターかごへの出入りを可能とする出入扉が設けられていることを特徴とする。
【００１１】
このように、エレベーターかご用昇降路に出入扉を設けることで、出入扉を構成するための部材が不要となるので、さらに無駄を少なくできる。
【００１２】
請求項６に記載の発明では、請求項１〜請求項５のいずれか１項に記載の発明において、前記駆動装置が、前記ユニット本体の上部に配置されていることを特徴とする。
【００１３】
駆動装置をユニット本体の上部に配置することで、これ以外の箇所（たとえばユニット本体の側面）に配置した構成と比較して、無駄な部分をより少なくすることが可能になる。
【００１４】
請求項７に記載の発明では、請求項１〜請求項６のいずれか１項に記載の発明において、前記ユニット本体に、前記建物の床と接続されてこの床の一部を構成する床構成部が設けられていることを特徴とする。
【００１５】
これにより、エレベーター用建物ユニットを他の建物ユニットと接合すれば、床構成部がそのまま建物の床を構成するので、無駄な部分をより少なくすることが可能になる。
【００１６】
請求項８に記載の発明では、請求項１〜請求項７のいずれか１項に記載の発明において、前記エレベーターかご用昇降路、前記エレベーターかご及び前記駆動装置が前記ユニット本体にあらかじめ工場で組み付けられていることを特徴とする。
【００１７】
このように、エレベーターかご用昇降路、エレベーターかご及び駆動装置を工場であらかじめユニット本体に組み付けることで、施工現場での組み付け作業や接続作業を解消できる。また、請求項９に記載のように、前記エレベーターかごが前記昇降路内で円滑に昇降できるようにあらかじめ工場で調整されている構成とすれば、この施工現場での調整作業の手間を軽減（好ましくは解消）できる。もちろん、施工現場でさらに微調整等を行うことも可能である。
【００１８】
請求項１０に記載の発明では、請求項１〜請求項９のいずれか１項に記載の発明において、前記ユニット本体が、前記エレベーターかごの昇降方向と同方向に延在されると共に、前記建物を構成し前記ユニット本体に隣接される隣接建物ユニットの柱又は梁の少なくとも１つに固定される長尺柱、を有することを特徴とする。
【００１９】
このように、長尺柱を隣接建物ユニットの柱又は梁の少なくとも１つに固定することで、エレベーター用建物ユニットを安定させることが可能となる。特に、長尺柱がユニット本体の角部に位置している場合には、ユニット本体の角部を利用して隣接建物ユニットに固定できる。たとえば設置面積が小さく高さの高いユニット本体であっても安定する。
【００２０】
請求項１０に記載の発明において、その固定構造は特に限定されないが、たとえば、請求項１１に記載のように、前記長尺柱の最下部が下階の前記隣接建物ユニットの床梁に固定され、この長尺柱の中間部が上階の前記隣接建物ユニットの床梁又は下階の前記隣接建物ユニットの天井梁に固定されている、ようにすれば、簡単な構造で確実に固定可能となる。
【００２１】
請求項１２に記載の発明では、請求項１〜請求項１１のいずれか１項に記載のエレベーター用建物ユニット、を有することを特徴とする。
【００２２】
請求項１〜請求項１１のいずれか１項に記載のエレベーター用建物ユニット、を有するので、エレベーター構成部材と建物との間に二重構造の部分を無くして、無駄が少ない建物となる。
【発明の効果】
【００２３】
本発明は上記構成としたので、無駄な部分を少なくして配設できるエレベーター用建物ユニットと、このエレベーター用建物ユニットを備えた建物が得られる。
【発明を実施するための最良の形態】
【００２４】
図１には、本発明の第１実施形態のエレベーター用建物ユニット１２が示されている。また、図２には、このエレベーター用建物ユニット１２が用いられた建物３０が示されている。
【００２５】
建物３０は複数階建てとされており、本実施形態では２階建てとしている。そして、複数の建物ユニット３２を接合することで、全体として建物３０が構成されるようになっている。
【００２６】
エレベーター用建物ユニット１２は、図２に示すように、建物３０の２階分に対応する形状のユニット本体１４を有しており、このユニット本体１４は、他の建物ユニット３２のモジュールに従った寸法の構造とされている。したがって、エレベーター用建物ユニット１２（ユニット本体１４）と他の建物ユニット３２との接合が、建物ユニット３２どうしの接合と同程度に容易になっている。
【００２７】
エレベーター用建物ユニット１２のユニット本体１４内には、上方から見て４つの角部に位置するように、長尺柱３８が配置されて、その他、必要に応じて、図示しない梁等が配置されている。また、ユニット本体１４内には、建物３０の１階部分と２階部分とに連続するように上下方向に沿って、エレベーターかご用昇降路１６が設けられている。本実施形態では特に、エレベーター用建物ユニット１２を上方から見たときに、エレベーターかご用昇降路１６がユニット本体１４の隅部に配置しており、ユニット本体１４内において、エレベーターかご用昇降路１６以外の部分に、エレベーターかご用昇降路１６を包囲する空間（上方から見て略「Ｌ」字状となっている空間）が生じるようにしている。
【００２８】
エレベーターかご用昇降路１６には、エレベーターかご１８が昇降可能に配設され、さらに、ユニット本体１４には、エレベーターかご用昇降路１６の上部に、エレベーターかご１８を駆動するための駆動装置２０が配置されている。これらのエレベーターかご用昇降路１６、エレベーターかご１８及び駆動装置２０は、建物３０の施工現場ではなく、エレベーター用建物ユニット１２を製造する工場において、あらかじめユニット本体１４に組み込まれている。特に、エレベーターかご１８は、エレベーターかご用昇降路１６内を円滑に昇降できるように、工場であらかじめ調整されている。
【００２９】
ユニット本体１４内には、建物３０の２階の２階床３４Ｂに相当する高さ（上下方向の中間部分）に２階床面２２Ｂが設けられ、建物３０の１階床３４Ａに相当する高さ（下底部分）にも１階床面２２Ａが設けられている。さらに、エレベーター用建物ユニット１２の上部には、建物３０の天井３６に相当する高さに天井面２４が設けられている。これらの床面２２Ｂ、２２Ａ及び天井面２４は、エレベーター用建物ユニット１２が他の建物ユニット３２と接続された状態で、建物の対応する部分である２階床３４Ｂ、１階床３４Ａあるいは天井３６と接続されて、床や天井の一部を構成するようになっている。また、これらの床面２２Ｂ、２２Ａ及び天井面２４によって、エレベーターかご用昇降路１６を包囲するユニット本体１４内の空間が上下方向に区画され、２階エレベーターホール２６Ｂ及び１階エレベーターホール２６Ａが構成されている。
【００３０】
エレベーターかご用昇降路１６には、２階エレベーターホール２６Ｂ及び１階エレベーターホール２６Ａのそれぞれに対応する位置、すなわち、エレベーターかご１８の昇降方向（上下方向）での中間位置に、エレベーターかご１８への人や物の出入りを可能とする出入扉２９が設けられている。
【００３１】
エレベーター用建物ユニット１２には、他の建物ユニット３２と同様に、外壁２８や間仕切（図示省略）、その他必要に応じた造作や設備機器等が配設されている。
【００３２】
建物ユニット３２内には、上方から見て４つの角部に柱４０が配置され、さらに柱４０に天井梁４２及び床梁４４が接合させている。そして、エレベーター用建物ユニット１２の長尺柱３８が、隣接する建物ユニット３２の柱４０、天井梁４２、床梁４４の少なくとも１つに、図示しない接続部材（たとえば接続用のプレート）を介して、あるいは直接的に接続されて、固定されている。特に本実施形態では、長尺柱３８の最下部が、隣接する下階の建物ユニット３２の床梁４４に固定されている。また、長尺梁３８の中間部は、隣接する上階の建物ユニット３２の床梁４４に、あるいは下階の建物ユニット３２の天井梁４２に固定されている。さらに必要に応じて、長尺柱３８の最上部が、隣接する上階の建物ユニット３２の天井梁４２に固定されていてもよい。
【００３３】
次に、本実施形態の作用を説明する。
【００３４】
上記したように、本実施形態では、エレベーター用建物ユニット１２が他の建物ユニット３２と同様に建物３０を構成すると共に、このエレベーター用建物ユニット１２のユニット本体１４に、エレベーター構成部材であるエレベーターかご用昇降路１６、エレベーターかご１８及び駆動装置２０が設けられている。したがって、たとえば、これらのエレベーター構成部材のみをユニット化した場合には、施工現場でこれらを包囲するように新たな建物ユニットを設置し、さらにこの建物ユニットを他の建物ユニット３２と接合する必要があるため、結果的に二重構造となるが、本実施形態では、エレベーター構成部材を組み付けたエレベーター用建物ユニット１２が建物３０を構成するので、このような二重構造となる部分が存在せず、無駄が少なくなる。
【００３５】
しかも、エレベーター構成部材であるエレベーターかご用昇降路１６、エレベーターかご１８及び駆動装置２０は、あらかじめ工場でユニット本体１４に組みつけられて、エレベーター用建物ユニット１２が構成されている。このため、施工現場でエレベーター装置の構成部材を組み付ける構成と比較して、本実施形態ではこれらの組み付け作業や接続作業をする必要が無くなるので、作業工程を少なくすることが可能となる。また、複数階の建物３０において、それぞれの階の建物ユニット３２に、エレベーターを構成する部材を分割して取り付けておく構成であっても、施工現場ではこれらの接続や調整の作業が必要となるが、本実施形態では、このような接続作業、調整作業が不要となる。
【００３６】
また、エレベーターかご１８は、エレベーターかご用昇降路１６内を円滑に昇降できるように、工場であらかじめ調整されている。したがって、施工現場での調整作業の手間も軽減でき、好ましくは、施工現場で調整作業を行う必要がないようにすることもできる。もちろん、施工現場において、さらに微調整を行ってもよい。
【００３７】
加えて、本実施形態では、エレベーター用建物ユニット１２の長尺柱３８が、隣接する建物ユニット３２の柱４０、天井梁４２、床梁４４の少なくとも１つに、固定されている。このため、エレベーター用建物ユニット１２を安定して設置することが可能になる。特に、ユニット本体１４の角部に位置する長尺柱３８を建物ユニット３２の柱４０、天井梁４２、床梁４４に固定しているので、たとえば、ユニット本体１４の設置面積が小さく、高さが高い場合でも安定化できる。
【００３８】
なお、エレベーター用建物ユニット１２の長尺柱３８を、隣接する建物ユニット３２の柱４０、天井梁４２、床梁４４の少なくとも１つに固定するための固定構造は特に限定されないが、上記のように、長尺柱３８の最下部が、隣接する下階の建物ユニット３２の床梁４４に固定され、長尺梁３８の中間部が、隣接する上階の建物ユニット３２の床梁４４に、あるいは下階の建物ユニット３２の天井梁４２に固定されるようにすると、簡単な構造で確実に固定できる。また、エレベーター用建物ユニット１２の長尺柱３８に対応する位置に建物ユニットの柱４０が存在しない場合でも、建物ユニット４０の天井梁４２、床梁４４を使用して固定できる。
【００３９】
上記では、エレベーター用建物ユニット１２が、他の建物ユニット３２と同一のモジュールで構成されたものを例に挙げているが、本発明のエレベーター用建物ユニットとしては、すべての寸法が他の建物ユニット３２と同一の寸法とされている必要は無く、以下の各実施形態のように、一部の寸法が建物ユニット３２と異なる構成のものであってもよい。なお、以下の各実施形態では、第１実施形態と同一の構成要素、部材等については第１実施形態と同一の符号を付して、その詳細な説明を省略する。
【００４０】
図３には、本発明の第２実施形態のエレベーター用建物ユニット５２が適用された建物５０が部分的に示されている。
【００４１】
第２実施形態のエレベーター用建物ユニット５２では、ユニット本体５４の高さを、建物５０の高さ（他の建物ユニット３２の高さの倍数）よりも高くし、この高くなった部分を、駆動装置２０の設置スペース５６としている。このように、エレベーター用建物ユニットの高さを建物５０よりも高くすることで、エレベーターかご用昇降路１６の上部に駆動装置２０を設置するための設置スペース５６を容易に確保できるようになる。
【００４２】
なお、駆動装置２０の設置スペースを確保するための構成は、図３に示したものに限定されない。
【００４３】
図４に示す第３実施形態のエレベーター用建物ユニット６２では、ユニット本体６４自体は他の建物ユニット３２と同一のモジュールとされているが、このユニット本体６４の１階床面６６が部分的に下方に突出されて、駆動装置２０の設置スペース５６が確保されている。また、図５に示す第４実施形態のエレベーター用建物ユニット７２においても、ユニット本体７４自体は建物７０の他の建物ユニット３２と同一のモジュールとされているが、このユニット本体７４の天井面７６が部分的に上方に突出されて、駆動装置２０の設置スペース７８が確保されている。
【００４４】
図６には、本発明の第５実施形態のエレベーター用建物ユニット８２が適用された建物８０が部分的に示されている。
【００４５】
第５実施形態のエレベーター用建物ユニット８２では、上方から見たときのユニット本体８４の各辺の寸法を、他の建物ユニット３２の寸法よりも小さくしている。すなわち、エレベーターかご用昇降路１６の周囲に空間を必要としない場合には、このようにエレベーター用建物ユニット８２を小型化してもよい。このような構成であっても、レベーター構成部材であるエレベーターかご用昇降路１６、エレベーターかご１８及び駆動装置２０が、あらかじめ工場でユニット本体１４に組みつけられており、且つ、他の建物ユニット３２と同様に、外壁２８や間仕切（図示省略）、その他必要に応じた造作や設備機器等が配設されているので、二重構造による無駄を無くすと共に、施工現場での作業を軽減することが可能となる。
【００４６】
なお、上記各実施形態では、ユニット本体１４を上方（エレベーターかご１８の昇降方向）から見て隅部にエレベーターかご用昇降路１６が配置されている例を挙げたが、エレベーターかご用昇降路１６の配設位置は隅部に限定されず、ユニット本体１４の中央でもよい。ただし、隅部に配置すると、ユニット本体１４内においてエレベーターかご用昇降路１６以外のスペースの幅あるいは長さを大きく確保でき、このスペースを有効に利用できるようになるので好ましい。
【００４７】
また、本発明に係る建物として、上記では２階建ての建物を挙げたが、３階建て以上の建物でもよい。
【図面の簡単な説明】
【００４８】
【図１】本発明の第１実施形態に係るエレベーター用建物ユニットを示す斜視図である。
【図２】本発明の第１実施形態に係るエレベーター用建物ユニットが適用された建物を部分的に示す斜視図である。
【図３】本発明の第２実施形態に係るエレベーター用建物ユニットが適用された建物を部分的に示す斜視図である。
【図４】本発明の第３実施形態に係るエレベーター用建物ユニットが適用された建物を部分的に示す斜視図である。
【図５】本発明の第４実施形態に係るエレベーター用建物ユニットが適用された建物を部分的に示す斜視図である。
【図６】本発明の第５実施形態に係るエレベーター用建物ユニットが適用された建物を部分的に示す斜視図である。
【符号の説明】
【００４９】
１２  エレベーター用建物ユニット
１４  ユニット本体
１６  エレベーターかご用昇降路
１８  エレベーターかご
２０  駆動装置
２２Ａ      １階床面
２２Ｂ      ２階床面
２４  天井面
２６Ａ      １階エレベーターホール
２６Ｂ      ２階エレベーターホール
２８  外壁
２９  出入扉
３０  建物
３２  建物ユニット
３４Ａ      １階床
３４Ｂ      ２階床
３６  天井
３８  長尺柱
４０  柱
４２  天井梁
４４  床梁
５０  建物
５２  エレベーター用建物ユニット
５４  設置スペース
５６  設置スペース
６２  エレベーター用建物ユニット
６４  ユニット本体
６６  １階床面
７０  建物
７２  エレベーター用建物ユニット
７４  ユニット本体
７６  天井面
７８  設置スペース
８０  建物
８２  エレベーター用建物ユニット
８４  ユニット本体
【図１】
2007290810.tif 000003
【図２】
2007290810.tif 000004
【図３】
2007290810.tif 000005
【図４】
2007290810.tif 000006
【図５】
2007290810.tif 000007
【図６】
2007290810.tif 000008